(57)【特許請求の範囲】
【請求項１】
音響機器に接するプラグ端子からの本ケーブルと耳への分枝ケーブル２本の分岐点に、ケーブルの向きをＵターンさせるスリーブを設け、前記スリーブに続けて、前記本ケーブルと前記分枝ケーブル２本が別々の穴で貫通するスライダーを２つ以上設け、ヘッドホンを収納して持ち運ぶ時には前記スライダーをスライドして３本のケーブルを揃えて束ねることで絡み合いを防止するヘッドホンのケーブルの絡み防止構造。
【請求項２】
前記スリーブと２つ以上の前記スライダーは、ヘッドホン使用時に一体化することを特徴とする請求項１記載のヘッドホンのケーブルの絡み防止構造。
【発明の詳細な説明】
【技術分野】
【０００１】  本発明は、ヘッドホンにおけるケーブルの絡み合いを防止するための、ヘッドホンのケーブルの絡み防止構造に関するものである。
【背景技術】
【０００２】  近年、携帯用音響機器（例えば、カセットプレーヤー、ＭＤプレーヤー、ＣＤプレーヤーなど）が広く普及している。このような携帯用音響機器は、本体に接続したヘッドホン（音響メーカー等により様々な名称が用いられるが、本明細書では、両耳に当てるステレオフォンやステレオホンと耳に差し込む形式のイヤフォンやイヤホンなどを含む）を介して音楽などの音を聞く方式が一般的である。プラグ端子から両耳に接するヘッドホン本体まで、接続する２本のケーブルで構成されており、プラグ端子側においては一体化され、途中から分岐して右耳及び左耳用ヘッドホン本体にそれぞれ接続するようになっている。これらの携帯用音響機器及びそれに接続されるヘッドホンは、一般に歩行時や電車などの乗車時に使用されている。その際、携帯用音響機器は鞄やポケットの中に収納されており、音響機器に接続したヘッドホンを介して音を聞くのが通常である。そして、使用を中止する時には、両耳からヘッドホン本体を外し、鞄やポケットに収納する。再度音響機器を使用する時には、鞄やポケットからヘッドホンを取り出して使用する。【０００３】  しかし、従来のヘッドホンは、鞄やポケットなどに収納して持ち運ぶ際、プラグ端子側の本ケーブルや左右に分かれている耳側の分枝ケーブルとが絡まったり結ばれたりするので、いちいちほどいてから使用しなければならない欠点があった。
【先行技術文献】
【０００４】  従来、ヘッドホンのケーブルの絡み防止構造としては、特開平９−３０７９８１のヘッドホン本体を固定具で止める、特開平９−８４１６９のヘッドホン本体をフックで固定する、実新願平７−２０７４のヘッドホン本体を引っかけ具で固定などが挙げられる。しかし、これらはヘッドホン本体同士を固定するだけなのでケーブルの絡まりを充分に防止するとは言えない。また、特開２００８−３０１４６１や特開２００５−２５２５７９はヘッドホン本体に加えプラグ端子も固定するものであるが、これらもまだケーブルは自由に動くので絡まることがあり充分とは言えない。また特開２００１−２９２２１８のケーブルを巻取具で巻き取る、特開２０００−１０２０８６の耳側のケーブルの長さを変え長いケーブルを支持片で本ケーブルに固定する、実新願平９−７２６５の開閉筒によって突起部付きのケーブルとへこみ部付きのケーブルを一体化させる、特開平１０−３０８９９２のヘッドホンケーブルを筒状の袋に入れる、特開２００４−０５６６３６の分枝ケーブルをファスナーにして合体するは、ケーブルの絡み防止としては良いものの、固定するのに時間が掛かったり仕組みが複雑で製作に費用が掛かったりしている。
【特許文献・実新願文献】
【０００５】
【特許文献１】特開平９−３０７９８１
【特許文献２】特開平９−８４１６９
【特許文献３】特開２００８−３０１４６１
【特許文献４】特開２００５−２５２５７９
【特許文献５】特開２００１−２９２２１８
【特許文献６】特開２０００−１０２０８６
【特許文献７】特開平１０−３０８９９２
【特許文献８】特開２００４−０５６６３６
【実新願文献１】
実新願平７−２０７４
【実新願文献２】
実新願平９−７２６５
【発明の概要】
【発明が解決しようとする課題】
【０００６】  従来のヘッドホンのケーブルは、次のような欠点がある。
ヘッドホンを収納して持ち運ぶ時に、鞄やポケットの中でヘッドホンのケーブルが絡み合いを起こしてしまう。そのため、ヘッドホンを鞄やポケットから取り出した後は、絡み合いを解いて使用する必要がある。この絡み合いを解す作業は煩雑であり、また無意義な操作であり、無理にケーブルを引っ張ったりするとケーブルやヘッドホン本体の損傷をもたらす場合もある。【０００７】  本発明はかかる従来の課題を解消するためになされたもので、ヘッドホンのケーブルの絡み合いを防止する構造を提供することを目的とする。また、従来あったヘッドホンの絡み防止構造は、絡み防止が確実でない・固定に時間が掛かる・仕組みが複雑といった欠点があるので、より確実に絡み合いを防止し、固定する作業時間がより少なく、より仕組みが簡単な構造を提供することを目的とする。
【課題を解決するための手段】
【０００８】  上記のヘッドホンのケーブルの絡み合いを検討したところ、ヘッドホンケーブルの絡み合いは、柔軟なケーブルの先端に設けられたＬ字型をした２つのヘッドホン本体（３）とプラグ端子（６）が、鞄やポケットなどの中でそれぞれ自由に移動すること、ケーブルが長いため自由に移動し互いに絡まり合うことが挙げられる。この自由な移動を抑制すればケーブルの絡み合いを防止することができると考えた。
そこで次のような絡み防止構造を提案する。
（イ）音響機器に接するプラグ端子（６）からの本ケーブル（５）と耳への分枝ケーブル（４）２本の分岐点に、ケーブルの向きをＵターンさせるスリーブ（１）を設ける。
（ロ）スリーブ（１）に続けて、本ケーブル（５）と分枝ケーブル（４）２本が別々の穴で貫通するスライダー（２）を２つ以上設ける。ヘッドホンを収納して持ち運ぶ時にはスライダーをヘッドホン本体（３）近くと中間点（７）などにスライドすることで３本のケーブルを揃えて束ね絡み合いを防止する。
（ハ）スリーブ（１）とスライダー（２）２つ以上は、ヘッドホン使用時に邪魔にならないような形状・色にして一体化する。
本発明は、以上のようなヘッドホンのケーブルの絡み防止構造である。
【発明の効果】
【０００９】  本発明のケーブルの絡み防止構造を有するヘッドホンによれば、次のような効果が得られる。
（イ）ヘッドホンを鞄やポケットに収納して持ち運ぶ時には、スライダーをヘッドホン本体近くと中間点などにスライドするだけで３本のケーブル（プラグ端子側本ケーブル１本・ヘッドホン本体側分枝ケーブル２本）を簡単に揃えて束ねることができ、ヘッドホン本体の自由な移動も制約することができるので、鞄やポケットの中で振動を受けても、ケーブルやヘッドホン本体が自由に動くことがなく、ケーブルの絡み合いをより確実に防止することができる。そのため、絡み合いを解す手間を省くことができ、ケーブルやヘッドホンの損傷も低減することができる。
（ロ）ヘッドホンを使用するときには、スライダーをスリーブのところまでスライドするので、スリーブとスライダーが一体化してヘッドホン使用の邪魔にならない。
（ハ）ケーブルやヘッドホン本体を固定する作業は、スライダーをスライドするだけなので簡単で、手で探ってまとめることもでき、電車の混雑時・暗い所・歩行時に直接目で見なくても簡単にケーブルを束ねることができる。
（ニ）ヘッドホン使用時にスリーブとスライダーが一体化するので、一体化したときの形状を工夫（図５，図６，図７）したり、色を工夫（同色，一体化した形状に合わせた色）したりすることでデサイン性を増すこともできる。
（ホ）特許文献５〜８や実新願文献２の方法に比べて簡単な構造なので、製作が容易で且つ単価も安く製造することが可能である。
【図面の簡単な説明】
【００１０】
【図１】本発明の絡み防止構造が適用されたヘッドホンの収納して持ち運ぶ時の斜視図
【図２】本発明の絡み防止構造が適用されたヘッドホンのヘッドホン使用時の斜視図
【図３】ヘッドホン使用時のスリーブとスライダーを拡大した斜視図
【図４】スリーブとスライダーの配線図
【図５】スリーブとスライダーの案２の斜視図
【図６】スリーブとスライダーの案３の斜視図
【図７】スリーブとスライダーの案４の斜視図
【発明を実施するための形態】
【００１１】  以下、添付図面に基づいて、本発明をより詳細に説明する。
図１は、本発明のケーブル絡み防止構造を有するヘッドホンを収納して持ち運ぶ時のヘッドホン全体の様子とスリーブ（１）とスライダー（２ａ，２ｂ）の位置を示す斜視図である。ヘッドホンを収納して持ち運ぶ時には、ヘッドホン本体（３）近くにスライダー（２ｂ）を、ヘッドホン本体とスリーブの中間点（７）にスライダー（２ａ）をスライドして、３本のケーブルを揃えて束ねることで絡まりを防止する。
【００１２】図２は、本発明のケーブル絡み防止構造を有するヘッドホンを使用する時のヘッドホン全体の様子とスリーブ（１）とスライダー（２ａ，２ｂ）の位置を示す斜視図である。ヘッドホンを使用する時には、スリーブの所までスライダーを全部スライドさせ、ヘッドホン使用の邪魔にならないようにする。
【００１３】図３は、本発明のヘッドホンを使用する時のスリーブ（１）とスライダー（２ａ，２ｂ）の部分を拡大した斜視図である。スリーブとスライダーはぴったりと接して一体化している。一体化することでヘッドホンを使用する時にも邪魔にならない。
【００１４】図４は、スリーブ（１）とスライダー（２ａ，２ｂ）の中を通るケーブルの配線図である。スリーブにはスライダー側の面の真ん中にプラグ端子（６）からの本ケーブル（５）が入り、中で耳への分枝ケーブル（４）２本に分岐したケーブルが向きをＵターンして、入った時と同じスライダー側の面から出る。スライダーには貫通する穴が並んで３つあり、真ん中の穴をプラグ端子（６）からの本ケーブルが、左右の穴を耳への分枝ケーブル（４）２本が貫通する。穴はケーブルの太さよりも少し大きくスライダーがケーブル上を抵抗なく動ける大きさである。
【００１５】本発明は上記の例に限定されるものではなく、適宜変更して実施することができる。例えば、スリーブ（１）とスライダー（２ａ，２ｂ）の一体化した形は、図５立方体や図６の三角柱の形にしたり、図７のようにハートの形など親しみの持てる形も考えられる。本ケーブル（５）や分枝ケーブル（４）と色を同じにして目立たなくしたり、デサイン性を考えファッションに合わせた色や形にしたりすることもできる。
【符号の説明】
【００１６】１  スリーブ
２ａ  スライダー
２ｂ  スライダー
３  ヘッドホン本体
４  分枝ケーブル
５  本ケーブル
６  プラグ端子
７  スリーブとヘッドホン本体の中間点
【図１】
0005597858.tif 000002
【図２】
0005597858.tif 000003
【図３】
0005597858.tif 000004
【図４】
0005597858.tif 000005
【図５】
0005597858.tif 000006
【図６】
0005597858.tif 000007
【図７】
0005597858.tif 000008